(57)【要約】【課題】多機能式手書きフレキシブルボードを提供する。【解決手段】少なくとも銘板と、リニアボードと、緩衝層と、回路板とを含む。該銘板は可とう性部材からなり、上面はマウスパッドとして使用できる。該リニアボードは可とう性部材からなり、中央場所にセンシング領域を設けてリニアボードの保護を提供する。該回路板とリニアボードのセンシング領域と連結し情報を伝送できる。多機能式手書きフレキシブルボードの製造方法は、まず、回路板をリニアボードの一端に結合させ、順に追って銘板と、リニアボードと緩衝層とを結合する。【選択図】図４
2011227606.tif 000002
【特許請求の範囲】
【請求項１】
少なくとも銘板と、リニアボードと、センサー領域と、緩衝層と、電気回路板からなる多機能式手書きフレキシブルボードであって、
前記銘板は可とう性部材からなり、その表面はマウスパッドとして使用でき、
前記リニアボードの上面は可とう性部材からなり前記銘板の底面と結合され、前記リニアボードの中央場所にセンシング領域が設けられ、入力メデイアの入力信号をセンシングでき、
前記緩衝層はフレキシブル部材からなり前記リニアボードの底面と結合され、前記緩衝層は外力を吸収し前記リニアボードが外部の圧迫による破損を避けることができ、
前記回路板は前記リニアボードの一端に結合し、かつ前記リニアボードのセンシング領域と電気導通し前記センシング領域は入力信号を回路板に伝送して信号分析を行うことを特徴とする、
多機能式手書きフレキシブルボード。
【請求項２】
前記回路板は少なくとも伝送インターフェスが設けられ、前記回路板は演算装置に接続してデ―タ交換できることを特徴とする請求項１記載の多機能式手書きフレキシブルボード。
【請求項３】
前記伝送インターフェスは、汎用非同期送受信インターフェス（ｕｎｉｖｅｒｓａｌ  ａｓｙｎｃｈｒｏｎｏｕｓ  ｒｅｃｅｉｖｅｒ  ｔｒａｎｓｍｉｔｔｅｒ，  ＵＡＲＴ）と、ＰＳ／２インターフェスと、汎用シリアルバス（ｕｎｉｖｅｒｓａｌ  ｓｅｒｉａｌ  ｂｕｓ，  ＵＳＢ）と赤外線データ伝送インターフェス（ｉｎｆｒａｒｅｄ  ｄａｔａ  ａｓｓｏｃｉａｔｉｏｎ，  ＩｒＤＡ）から組合せ使用でき、そのうち一つを伝送インターフェスに選択することを特徴とする請求項２記載の多機能式手書きフレキシブルボード。
【請求項４】
前記緩衝層はさらに第１パッドと第２パッドとを含み、前記第１パッドは前記リニアボードと前記第２パッドとの間に設けることを特徴とする請求項１記載の多機能式手書きフレキシブルボード。
【請求項５】
前記第１パッドはゴム、シリコン、ラテックス、ポリテトラフルオロエチレン（ｐｏｌｙｔｅｔｒａｆｌｕｏｒｏｅｔｈｙｌｅｎｅ，  ＰＴＦＥ）、塩化ポリビニール（ｐｏｌｙｖｉｎｙｌｃｈｌｏｒｉｄｅ，  ＰＶＣ）、ポリカーボネート（ｐｏｌｙｐｒｏｐｙｌｅｎｅ，  ＰＰ）、プラスチック発泡部材より選択使用できることを特徴とする請求項４記載の多機能式手書きフレキシブルボード。
【請求項６】
前記第２パッドはゴム、シリコン、ラテックス、ポリテトラフルオロエチレン（ｐｏｌｙｔｅｔｒａｆｌｕｏｒｏｅｔｈｙｌｅｎｅ，  ＰＴＦＥ）、塩化ポリビニール（ｐｏｌｙｖｉｎｙｌｃｈｌｏｒｉｄｅ，  ＰＶＣ）、ポリカーボネート（ｐｏｌｙｐｒｏｐｙｌｅｎｅ，  ＰＰ）、プラスチック発泡部材より選択使用できることを特徴とする請求項４記載の多機能式手書きフレキシブルボード。
【請求項７】
前記回路板の外周に設け、前記回路板の損傷から保護する保護マスクをさらに含めることを特徴とする請求項１記載の多機能式手書きフレキシブルボード。
【請求項８】
前記リニアボードの前記センシング領域は一種の容量式センシング領域であり、静電気を帯びる書き込み媒体を検出できることを特徴とする請求項１記載の多機能式手書きフレキシブルボード。
【請求項９】
前記容量式センシング領域のＸ軸とＹ軸にそれぞれ多数本の静電誘導線を設けられ、静電気を帯びる前記書き込み媒体のＸ軸とＹ軸の位置決めができることを特徴とする請求項８記載の多機能式手書きフレキシブルボード。
【請求項１０】
前記リニアボードの前記センシング領域は一種の交替式センシング領域であり、書き込み媒体より発振されるエネルギー信号を検出できることを特徴とする請求項１記載の多機能式手書きフレキシブルボード。
【請求項１１】
前記書き込み媒体は電池不要の無線式誘導ペンまたは電池式の無線式誘導ペンより選択使用できることを特徴とする請求項１０記載の多機能式手書きフレキシブルボード。
【請求項１２】
前記交替式センシング領域のＸ軸とＹ軸にそれぞれ多数本のエネルギー信号センサー線を設けられ、エネルギー信号を発振する前記書き込み媒体のＸ軸とＹ軸の位置決めができることを特徴とする請求項１０記載の多機能式手書きフレキシブルボード。
【請求項１３】
イ、基板を提供するプロセスと、
ロ、回路板を提供し、前記回路板をリニアボードの一端に結合させるプロセスと、
ハ、銘板を提供し、前記銘板の底面と前記リニアボードの表面と結合させるプロセスと、
ニ、緩衝層を提供し、前記緩衝層を前記リニアボードの底面と結合させるプロセスと、
を含む、多機能式手書きフレキシブルボードの製造方法。
【請求項１４】
前記銘板と前記リニアボードは、のりつけによって接着することを特徴とする請求項１３記載の多機能式手書きフレキシブルボードの製造方法。
【請求項１５】
前記リニアボードと前記緩衝層は、のりつけによって接着することを特徴とする請求項１３記載の多機能式手書きフレキシブルボードの製造方法。
【請求項１６】
前記緩衝層はさらに第１パッドと第２パッドとを含み、前記第１パッドは前記リニアボードと前記第２パッドとの間に設けることを特徴とする請求項１３記載の多機能式手書きフレキシブルボードの製造方法。
【請求項１７】
前記第１パッドと前記第２パッドは、のりつけによって接着することを特徴とする請求項１６記載の多機能式手書きフレキシブルボードの製造方法。
【発明の詳細な説明】
【技術分野】
【０００１】
本発明は一種の多機能式手書きフレキシブルボードとその製造方法に関し、特に一種のマウスパッドとデジタル入力装置を同時に備える手書きフレキシブルボードの構造とその製造方法に関する。
【背景技術】
【０００２】
科学の進歩につれて、様々な電子製品は次から次へと新製品が出ている。現在は多くのコンピュータ周辺製品がすでに開発されている。そのうち、キーボードとマウスは精確なデジタル絵描きと文字入力はできないため、デジタル式手書きボードが開発されている。使用者は特定または日特定の書き込み媒体を利用しデジタル式手書きボードの書き込みエリアでの絵描きまたは文字入力した後、デジタル式手書きボードによって創作された図面をファイルに置き換えて、コンピュータまたは格納装置に伝送する。この方式により、使用者は図形を描いてまたは文字を書き込んで、デジタル作画できる。
【発明の概要】
【発明が解決しようとする課題】
【０００３】
しかし、従来のデジタル式手書きボードは通常、剛性部材からなり、可とう性を有しない。よって、携帯不便、収納不便、体積が大きい、重い等の欠点が残されている。
【０００４】
前述問題を解決するため、本発明により一種の可とう性手書きボードを提供する。体積と重量を軽減し、軽薄短小の長所を備え、携帯便利と便利性が向上される。
【０００５】
このほか、従来のデジタル式手書きボードはデジタル書き込み以外の応用ができないため、使用者がデジタル書き込みは不要のとき、これを収納するしかない。
このような問題により、本発明はデジタル式手書きボードを改良し、応用機能を追加することにより、使用者はデジタル書き込みのほか、デジタル式手書きボードは他方面に利用し多機能の効果を達成する。
【課題を解決するための手段】
【０００６】
前述問題と欠点について、発明者は長年の経験蓄積と想像力と創造力を発揮し、試作と修整を重なった結果、本発明の多機能式手書きフレキシブルボードとその製造方法を提供することができた。
【０００７】
本発明の主な目的は、可とう性を持たせて体積と重量の軽減により携帯と収納の便利性を向上する、一種の多機能式手書きフレキシブルボードを提供する。
【０００８】
本発明もう一つの目的は、デジタイザとマウスパッドの機能を同時に備えることにより、使用の可変性を向上する、一種の多機能式手書きフレキシブルボードを提供する。
【０００９】
本発明のさらに一つの目的は、回路板とリニアボードとを結合した後、該リニアボードを銘板と緩衝層とを結合して、多機能式手書きフレキシブルボードを仕上げる、一種の多機能式手書きフレキシブルボードの製造方法を提供する。
【００１０】
前記目的を達成するため、本発明により一種の多機能式手書きフレキシブルボードを提供する。少なくとも銘板と、リニアボードと、緩衝層と、回路板とを含む。該銘板は、可とう性部材からなり、その上面はマウスパッドとして使用することができる。リニアボードの上面は可とう性部材からなり該銘板の底面と結合され、該リニアボードの中央場所にセンシング領域が設けられ、入力メデイアの入力信号をセンシングする。緩衝層はフレキシブル部材からなりリニアボードの底面と結合され、外部の力量を吸収しリニアボードが外部の圧迫による破損を避ける。回路板はリニアボード一つの端部と、リニアボードのセンシング領域とを結合した上、リニアボードのセンシング領域と電気導通する。センシング領域は入力信号を回路板に伝送して信号分析を実行する。
【００１１】
このほか、本発明はさらに少なくとも以下のステップを含める一種の多機能式手書きフレキシブルボードの製造方法を提供する。イ、リニアボードを提供する。ロ、該銘板の仮面を該リニアボード一つの端部と結合させる。ハ、銘板を提供し、該銘板の仮面とリニアボードの上面とを結合させる。二、緩衝層を提供し、緩衝層をリニアボードの底面と結合させる。
【発明の効果】
【００１２】
全体構造および技術精神は以下の詳細説明により、本発明の長所を以下の通りまとめることができる。
【００１３】
イ、本発明の多機能式手書きフレキシブルボードは可とう性部材からなり、自ら屈折と曲げ特性を備え、携帯便利と収納に便利する。
【００１４】
ロ、本発明の多機能式手書きフレキシブルボードは、体積と重量が大幅に軽減されているため、携帯便利と収納の便利性を有する。
【００１５】
ハ、本発明の多機能式手書きフレキシブルボードはマウスパッドが整合されており、使用者は手書きボードを使用しないときにマウスパッドとして使用できる。機能は多様化である。
【００１６】
ニ、本発明のリニアボードは必要に応じて、容量式センシング領域または交替式センシング領域を設けることによって、二種類のセンシング領域を一つに整合されて、デジタル書き込みの変化性が増加される。
【図面の簡単な説明】
【００１７】
【図１】本発明実施例１の多機能式手書きフレキシブルボードの立体外観を示す図である。
【図２】本発明実施例１もう一つの設置態様の立体外観を示す図である。
【図３】図２の接線Ａ-Ａに沿った断面を示す図である。
【図４】本発明実施例１の一部素子の立体外観を示す分解図である。
【図５】本発明実施例１の電気回路単元のブロック図である。
【図６】本発明実施例２の電気回路単元のブロック図である。
【図７】本発明実施例３の電気回路単元のブロック図である。
【図８】本発明の多機能式手書きフレキシブルボードの製造方法のフロー図である。
【発明を実施するための形態】
【００１８】
前記目的と効果を達成するため、発明者はデジタイザの改良を行い、可とう性部材を使用するほか、マウスパッドとして使用可能な部材を導入した結果、本発明の一種の多機能式手書きフレキシブルボードとその製造方法を実現できる。本発明の実施例１、実施例２と実施例３に示す多機能式手書きフレキシブルボード、およびこの３つの実施例の製造方法と合わせて、本発明の技術特徴および製造方法を詳細説明する。
【００１９】
まず、図１ないし４を合わせて参照する。それぞれ図１は本発明実施例１の多機能式手書きフレキシブルボードの立体外観を示す図、図２は本発明実施例１もう一つの設置態様の立体外観を示す図、図３は図２の接線Ａ-Ａに沿った断面を示す図、図４は本発明実施例１の一部素子の立体外観を示す分解図である。
【００２０】
本発明実施例の多機能式手書きフレキシブルボード１は主に、：
該銘板１０は可とう性部材からなり、その表面はマウスパッドとして使用できる。
【００２１】
該リニアボード１１の上面は可とう性部材からなり該銘板１０の底面に結合され、該リニアボード１１の中央場所にセンシング領域１２が設けられ、入力メデイアの入力信号をセンシングできる。
【００２２】
緩衝層１３はフレキシブル部材からなり、リニアボード１１の底面と結合する。該緩衝層１３は外力を吸収し、リニアボード１１が外部の圧迫による破損を避ける。該緩衝層１３はさらに第１パッド１３ａと第２パッド１３ｂとを含み、該第１パッド１３ａはリニアボード１１と該第２パッド１３ｂとの間に取り付ける。本発明実施例１において、第１パッド１３ａと第２パッド１３ｂの素材はシリコンであり、実務使用のとき、ゴム、ラテックス、ポリテトラフルオロエチレン（ｐｏｌｙｔｅｔｒａｆｌｕｏｒｏｅｔｈｙｌｅｎｅ，  ＰＴＦＥ）、塩化ポリビニール（ｐｏｌｙｖｉｎｙｌｃｈｌｏｒｉｄｅ，  ＰＶＣ）、ポリカーボネート（ｐｏｌｙｐｒｏｐｙｌｅｎｅ，  ＰＰ）その他プラスチック発泡部材であっても良い。第１パッド１３ａと第２パッド１３ｂとは同じ部材に限らない。
【００２３】
回路板１４はリニアボード１１の一端に結合し、かつリニアボード１１のセンシング領域１２と電気導通する。センシング領域１２は入力信号を回路板１４に伝送して信号分析を行う。
【００２４】
保護マスク１５は、回路板１４の外周面に取付け、回路板１４を保護し損傷を避ける。
【００２５】
実施例１において、リニアボード１１のセンシング領域１２は一種の容量式センシング領域であり、指部または静電気ペン等静電気を帯びる書き込み媒体をセンシングできる。該容量式センシング領域のＸ軸とＹ軸は多数本の静電誘導線が設けられ、静電気を帯びる書き込み媒体のＸ軸とＹ軸の位置決めに備える。本発明の容量センシング式手書きボードの電気伝送方式を以下の通り説明する。
【００２６】
図５は本発明の実施例１の電気回路単元のブロック図を参照する。まず、中央演算処理装置１００よりアドレス信号をアドレスバッファー回路１０１に送信した後、該アドレス信号をセンシング走査回路１０２に伝送し、該センシング走査回路１０２より信号をＸ軸マルチプレクサー１０３とＹ軸マルチプレクサー１０４に伝送して、一つの走査回路を構成する。
【００２７】
使用者の指部または静電気ペンを容量式センシング領域１１０に置いたとき、センシング走査回路１０２によって、置かれた位置のセンシング電圧が検出される。指部または静電気ペンの帯びる静電気の量を検出させるには、各静電気誘導線１１１に周波数信号を加えなければならない。その方式はクロック生成回路１２０が周波信号を機能シーケンス切換え回路１２１によって送受信回路１２２に伝送し、該送受信回路１２２より該周波信号をＸ／Ｙ軸切換え回路１２３に伝送する。最後に、周波信号を該容量式センシング領域１１０の各静電気誘導線１１１にそれぞれ伝送する。指部または静電気ペンを近寄せると、静電気誘導線１１１に備える周波信号の信号が大小に変化する。すなわち、指部または静電気ペンの置かれた位置の信号電圧が大きくなり、接触されていない領域には固定の電圧レベルが維持される。
【００２８】
引き続き、指部または静電気ペンより発生された静電気電圧信号はＸ／Ｙ軸切換え回路１２３と送受信回路１２２の順にノイズ除去回路１３０に伝送されて、デジタル制御回路１３１より生成する参照周波数除去と合わせて、静電気電圧信号に混ぜていたノイズを除去する。ノイズ除去された信号は増幅回路１３２に伝送し信号が増幅される。増幅された信号はさらに比較器１３３に伝送して、もっとも安定な信号を取り出す。該安定信号は利得回路１３４によって信号の拡大倍数を調整された後、積分増幅回路１３５と、Ｘ／Ｙ座標増幅回路１３６により増幅のセンシング信号を形成する。該増幅のセンシング信号はバンパスフィルタ回路１３７によって、低／高周波ノイズを除去しフィルタリングを行う。フィルタリング後の信号をアナログ／デジタル変換回路１３８に伝送され、パルス信号に置き換えた上、Ｘ／Ｙ座標制御回路１３９と、Ｘ／Ｙ座標二進数デバイダ回路１４０とデータバッファー１４１にそれぞれ処理された後、完全なＸ／Ｙ座標データを取り出し、該Ｘ／Ｙ座標データは最後に中央演算処理装置１００に伝送して、信号演算のプロセスを完成する。
【００２９】
中央演算処理装置１００はＸ／Ｙ座標データの演算を完了した後に、そのデータを外部演算装置に伝送して格納するか、またはさらなる演算実行ができる。本発明の実施例１において、回路板１４はさらに多数の伝送インターフェスが設けられており、回路板１４は演算装置に接続してデータ交換することができる。該多数の伝送インターフェスは汎用非同期送受信インターフェス（ｕｎｉｖｅｒｓａｌ  ａｓｙｎｃｈｒｏｎｏｕｓ  ｒｅｃｅｉｖｅｒ  ｔｒａｎｓｍｉｔｔｅｒ，  ＵＡＲＴ）１５０と、ＰＳ／２インターフェス１５１と、汎用シリアルバス（ｕｎｉｖｅｒｓａｌ  ｓｅｒｉａｌ  ｂｕｓ，  ＵＳＢ）１５２と赤外線データ伝送インターフェス（ｉｎｆｒａｒｅｄ  ｄａｔａ  ａｓｓｏｃｉａｔｉｏｎ，  ＩｒＤＡ）１５３とを含み、インターフェス選択回路１６０にて、そのうち一つを伝送インターフェスとして選択される。そのうち、汎用非同期送受信インターフェス１５０はさらにＲＦインターフェス（ｒａｄｉｏ  ｆｒｅｑｕｅｎｃｙ，  ＲＦ）１５４と組合せして使用することができる。
【００３０】
引き続き、本発明の実施例２と３を説明する。実施例２と３の多機能式手書きフレキシブルボードの構造は実施例１に同じのため、ここでの説明を省略する。
【００３１】
実施例２において、該リニアボードのセンシング領域は一種の交替式センシング領域であり、書き込み媒体の発振エネルギー信号を検出でき、該書き込み媒体は電池不要の無線式誘導ペンである。該交替式センシング領域のＸ軸とＹ軸はそれぞれ多数本のエネルギー信号センサー線が設けられており、エネルギー信号を発振する無線式誘導ペンのＸ軸とＹ軸の位置決めができる。本発明のエネルギー信号検出式手書きボードの電気伝送方式を以下の通り説明する。
【００３２】
図６は本発明の実施例２の電気回路単元のブロック図を参照する。まず、中央演算処理装置２００よりアドレス信号をアドレスバッファー回路２０１に送信した後、該アドレス信号をセンシング走査回路２０２に伝送し、該センシング走査回路２０２より信号をＸ軸マルチプレクサー２０３とＹ軸マルチプレクサー２０４に伝送して、一つの走査回路を構成する。
【００３３】
無線式誘導ペンを交替式センシング領域２１０に置くと、置かれた位置は検出される。ただし、該電池不要の無線式誘導ペン自らエネルギー信号を発振できないため、以下の方式によってエネルギー提供が必要である。まず、クロック生成回路２２０により周波信号を順に追って機能シーケンス切換え回路２２１と、送受信回路２２２と、機能シーケンス切換え回路２２３と、Ｘ／Ｙ軸切換え回路２２４と交替式センシング領域２１０に取り付けたエネルギー信号センサー線２１１に伝送する。エネルギー信号センサー線２１１の回路配置方式により誘起効果を発生し相互インダクタンスによって周波信号を電池不要の無線式誘導ペンの誘導コイルに伝送され、誘導コイルは組合せのコンデンサーとエネルギー格納を実行することによって、電池不要の無線式誘導ペンはエネルギーを発振する能力が形成される。
【００３４】
引き続き、電池不要の無線式誘導ペンによってエネルギーをエネルギー信号センサー線２１１に放出し、該誘導走査回路２０２より位置信号が検出される。該位置信号は順に追って、該Ｘ／Ｙ軸切換え回路２２４、該機能シーケンス切換え回路２２３、該送受信回路２２２および増幅回路２３０に伝送し、位置信号の増幅を行い、増幅された信号はさらにサンプリング保持回路２３１に伝送し信号のサンプリングが実行される。サンプリング後の信号は増幅回路２３２と、圧力アナログ／デジタル変換回路２３３と中央演算処理装置２００に伝送され、中央演算処理装置２００はこれに基づき信号の増幅または減衰を判断する。該増幅回路２３２は中央演算処理装置２００の指令に従い信号の増幅または減衰を実行した後に、積分増幅回路２３４とＸ／Ｙ座標増幅回路２３５に伝送され増幅を実行すると共にバンパスフィルタ回路２３６によって、低／高周波ノイズのフィルタリングを実行する。フィルタリング後の信号をアナログ／デジタル変換回路２３７に伝送され、パルス信号に置き換え、Ｘ／Ｙ座標制御回路２３８と、Ｘ／Ｙ座標二進数デバイダ回路２３９とデータバッファー２４０にそれぞれ処理された後、完全なＸ／Ｙ座標データを取り出し、該Ｘ／Ｙ座標データは最後に中央演算処理装置２００に伝送して、信号演算のプロセスを完成する。
【００３５】
実施例３において、リニアボードのセンシング領域は一種の交替式センシング領域である。実施例２と異なる点は書き込み媒体が電池式の無線式誘導ペンが使用されているほか、信号の伝送方式も異なる。
【００３６】
図７、本発明実施例３の回路単元のブロック図を参照する。実施例２と信号伝送フローの異なる点を以下の通り説明する、
【００３７】
電池式の無線式誘導ペン自らエネルギー発振能力があるため、エネルギー信号は直接にＸ／Ｙ軸切換え回路３２０と、機能モード切換え回路３２１と増幅回路３３０に伝送し増幅実行ができる。該増幅された信号は利得回路３３１と、圧力アナログ／デジタル変換回路３３２と、中央演算処理装置３００に伝送して、中央演算処理装置３００はこれに基づき信号の増幅または減衰を判断する。該利得回路３３１は中央演算処理装置３００の指令に従い、信号の増幅または減衰が実行された後に実施例２と同じく積分増幅回路３３３、Ｘ／Ｙ座標増幅回路３３４、バンパスフィルタ回路３３５、アナログ／デジタル変換回路３３６、Ｘ／Ｙ座標制御回路３３７、Ｘ／Ｙ座標二進数デバイダ回路３３８とデータバッファー３３９それぞれ処理された後、完全なＸ／Ｙ座標データを取り出し、該Ｘ／Ｙ座標データは最後に中央演算処理装置３００に伝送して、信号演算のプロセスを完成する。
【００３８】
最後に、本発明の多機能式手書きフレキシブルボードの製造方法について詳細説明する。図８は本発明の多機能式手書きフレキシブルボードの製造方法のフロー図を参照する。主なプロセスは、（プロセス４１０）リニアボードを提供する。（プロセス４２０）回路板を提供する。該回路板を該リニアボードの一端に結合する。（プロセス４３０）銘板を提供する。該銘板の底面をのりつけ接着によりリニアボードの上面に結合する。（プロセス４４０）緩衝層を提供する。該緩衝層とリニアボードの底面と結合する。該緩衝層はさらに第１パッドと第２パッドとを含み、該第１パッドは該リニアボードと該第２パッドとの間に取付け、該リニアボードと該第１パッドとの間、および該第１パッドと該第２パッドとの間にそれぞれのりつけ接着する。前述方式を経て、多機能式手書きフレキシブルボードの製造を完成する。
【符号の説明】
【００３９】
１      多機能式手書きフレキシブルボード
１０    銘板
１１    リニアボード
１２    センシング領域
１３    緩衝層        
１３ａ  第１パッド
１３ｂ  第２パッド
１４    回路板
１５    保護マスク
１００，２００，３００  中央演算処理装置
１０１，２０１，３０１  アドレスバッファー回路
１０２，２０２，３０２  検出走査回路
１０３，２０３，３０３  Ｘ軸マルチプレクサー
１０４，２０４，３０４  Ｙ軸マルチプレクサー
１１０  容量式センシング領域
１１１  静電気誘導線
１２０，２２０  クロック生成回路
１２１，２２１  機能シーケンス切換え回路
１２２，２２２  送受信回路
１２３，２２４，３２０  Ｘ／Ｙ軸切換え回路
１３０  ノイズ除去回路
１３１  デジタル制御回路
１３２，２３０，３３０  増幅回路
１３３  比較器
２３１  サンプリング保持回路
１３４，２３２，３３１  利得回路
１３５，２３４，３３３  積分増幅回路
１３６，２３５，３３４  Ｘ／Ｙ座標増幅回路
１３７，２３６，３３５  バンパスフィルタ回路
１３８，２３７，３３６  アナログ／デジタル変換回路
１３９，２３８，３３７  Ｘ／Ｙ座標制御回路
１４０，２３９，３３８  Ｘ／Ｙ座標二進数デバイダ回路
１４１，２４０，３３９  データバッファー
１５０，２５０，３５０  汎用非同期式送受信インターフェス
１５１，２５１，３５１  ＰＳ／２インターフェス
１５２，２５２，３５２  ユニバーサル・シリアルバス・インターフェス
１５３，２５３，３５３  赤外線データ伝送インターフェス
１５４，２５４，３５４  ＲＦインターフェス
１６０，２６０，３６０  インターフェス選択回路
２１０，３１０  交替式センシング領域
２１１，３１１  エネルギー信号センシング線
２２３，３２１  機能モード切換え回路
２３３，３３２  圧力アナログ／デジタル変換回路
４１０〜４４０  製造方法フロー番号
【図１】
2011227606.tif 000003
【図２】
2011227606.tif 000004
【図３】
2011227606.tif 000005
【図４】
2011227606.tif 000006
【図５】
2011227606.tif 000007
【図６】
2011227606.tif 000008
【図７】
2011227606.tif 000009
【図８】
2011227606.tif 000010